(57)【要約】  マルチ−ポイントＨＳＤＰＡシステムは、ＵＥによってレポートされるような、それぞれのセルのチャネル状態に基づいてセルのうちの１つからスイッチングベースのスケジューリングを提供することによって、アドバンスドタイプ３ｉ受信機を要求せずに単一の受信アンテナのＵＥのために複数のセルからのダウンリンクアグリゲーションを提供しうる。例えば、データがスケジュールされるように任意の特定のＴＴＩでＨＳ−ＤＳＣＨがデコードできるように、ＵＥは、両方のセルからＨＳ−ＳＣＣＨをモニタしうる。各ＴＴＩでセル間のスケジューリング決定がセルのうちのより良いものからダウンリンクパケットを提供するために動的に行われうるように、ＵＥは、セルのうちの各々のためのＣＱＩをさらに送信しうる。【選択図】図１３
2013539630.tif 000002
【特許請求の範囲】
【請求項１】
ワイヤレス通信のための方法であって、
第１のセルからの第１の制御チャネルおよび第２のセルからの第２の制御チャネルをモニタすることと、ここで、前記第１のセルは、第１のキャリア周波数で第１のダウンリンクデータチャネルを提供し、前記第２のセルは、前記第１のキャリア周波数で第２のダウンリンクデータチャネルを提供する、
第１の時間間隔の間に、前記第１のダウンリンクデータチャネルまたは前記第２のダウンリンクデータチャネルのうちの１つのみの第１のダウンリンクデータを復号することと
を備える、請求項１に記載の方法。
【請求項２】
前記第１のセルの第１の特徴および前記第２のセルの第２の特徴に対応するフィードバックを送信することをさらに備え、
前記第１のダウンリンクデータは、前記フィードバックに従って適合される、
請求項１に記載の方法。
【請求項３】
前記第１のセルの前記第１の特徴及び前記第２のセルの前記第２の特徴を決定することをさらに備え、
前記フィードバックは、前記第１の特徴および前記第２の特徴に対応する少なくとも１つのチャネル品質インジケータを備える、
請求項２に記載の方法。
【請求項４】
前記第１のダウンリンクデータは、前記フィードバックに従って、前記第１のダウンリンクデータチャネルまたは前記第２のダウンリンクデータチャネルのうちの１つを通じて前記第１の時間間隔の間に送られるようにスケジュールされる、
請求項２に記載の方法。
【請求項５】
前記第１の時間間隔は、ＴＴＩを備える、
請求項１に記載の方法。
【請求項６】
前記第１のダウンリンクデータを前記復号することは、前記第１の制御チャネルまたは前記第２の制御チャネルのうちの対応する１つに従って前記第１のダウンリンクデータチャネルまたは前記第２のダウンリンクデータチャネルを復号することを備える、
請求項１に記載の方法。
【請求項７】
第３のセルからの第３の制御チャネルおよび第４のセルからの第４の制御チャネルをモニタすることと、ここで、前記第３のセルは、前記第１のキャリア周波数と異なる第２のキャリア周波数で第３のダウンリンクデータチャネルを提供し、前記第４のセルは、前記第２のキャリア周波数で第４のダウンリンクデータチャネルを提供する、
前記第１の時間間隔の間に、前記第３のダウンリンクデータチャネルまたは前記第４のダウンリンクデータチャネルのうちの１つのみの第２のダウンリンクデータを復号することと
をさらに備える、請求項１に記載の方法。
【請求項８】
前記第３のセルの第３の特徴および前記第４のセルの第４の特徴に対応するフィードバックを送信することをさらに備え、
前記第２のダウンリンクデータは、前記フィードバックに従って適合される、
請求項７に記載の方法。
【請求項９】
前記第２のダウンリンクデータは、前記フィードバックに従って、前記第３のダウンリンクデータチャネルまたは前記第４のダウンリンクデータチャネルのうちの１つを通じて前記第１の時間間隔の間に送られるようにスケジュールされる、
請求項７に記載の方法。
【請求項１０】
ワイヤレス通信のための方法であって、
第１のセルのための第１のパイロット信号を送信することと、
第２のセルのための第２のパイロット信号を送信することと、
前記第１のパイロット信号および第２のパイロット信号の特徴に対応する少なくとも１つのチャネル品質インジケータをＵＥから受信することと、
前記少なくとも１つのチャネル品質インジケータの少なくとも一部に基づいて、前記第１のセルおよび前記第２のセルの間のより良いセルを決定することと、
前記より良いセル上の前記ＵＥのためのパケットをスケジュールすることと
を備える、方法。
【請求項１１】
前記より良いセルを利用する前記ＵＥに前記パケットを送信することをさらに備える、
請求項１０に記載の方法。
【請求項１２】
前記より良いセルを前記決定することは、ＴＴＩ基準毎に実行される、
請求項１０に記載の方法。
【請求項１３】
前記より良いセルを前記決定することは、前記第１のセルおよび前記第２のセルの各々でのローディング状況にさらに基づく、
請求項１０に記載の方法。
【請求項１４】
第３のセルのための第３のパイロット信号を送信することと、
第４のセルのための第４のパイロット信号を送信することと、
前記第３のパイロット信号および第４のパイロット信号の特徴に対応する少なくとも１つの第２のチャネル品質インジケータを前記ＵＥから受信することと、
前記少なくとも１つの第２のチャネル品質インジケータの少なくとも一部に基づいて、前記第３のセルおよび前記第４のセルの間の第２のより良いセルを決定することと、
前記第２のより良いセル上の前記ＵＥのための第２のパケットをスケジュールすることと
をさらに備える、請求項１０に記載の方法。
【請求項１５】
前記第２のより良いセルを利用する前記ＵＥに前記第２のパケットを送信することをさらに備える、
請求項１４に記載の方法。
【請求項１６】
ワイヤレス通信のための装置であって、
第１のセルからの第１の基準信号および第２のセルからの第２の基準信号をモニタするための受信機と、ここで、前記第１のセルおよび前記第２のセルは、同じキャリア周波数である、
前記第１の基準信号に対応する第１のチャネル推定値および前記第２の基準信号に対応する第２のチャネル推定値を決定するためのチャネルプロセッサと、
前記第１のチャネル推定値に対応する第１のチャネル品質インジケータおよび前記第２のチャネル推定値に対応する第２のチャネル品質インジケータを送信するための送信機と、
前記第１のセルから第１の制御情報および前記第２のセルから第２の制御情報を受信し、データチャネルを復号するための制御情報を復号することを提供するための受信プロセッサと、
第１の時間間隔の間に、前記第１のセルまたは前記第２のセルのうちの対応する１つのための前記制御情報を復号することに従って第１のデータチャネルまたは第２のデータチャネルのうちの１つのみを復号するための制御器（１０９０）と
を備える、装置。
【請求項１７】
ワイヤレス通信のための装置であって、
第１のセルからの第１の制御チャネルおよび第２のセルからの第２の制御チャネルをモニタするための手段と、ここで、前記第１のセルは、第１のキャリア周波数で第１のダウンリンクデータチャネルを提供し、前記第２のセルは、前記第１のキャリア周波数で第２のダウンリンクデータチャネルを提供する、
第１の時間間隔の間に、前記第１のダウンリンクデータチャネルまたは前記第２のダウンリンクデータチャネルのうちの１つのみの第１のダウンリンクデータを復号するための手段と
を備える、請求項１に記載の装置。
【請求項１８】
前記第１のセルの第１の特徴および前記第２のセルの第２の特徴に対応するフィードバックを送信するための手段をさらに備え、
前記第１のダウンリンクデータは、前記フィードバックに従って適合される、
請求項１７に記載の装置。
【請求項１９】
前記第１のセルの前記第１の特徴および前記第２のセルの前記第２の特徴を決定するための手段をさらに備え、
前記フィードバックは、前記第１の特徴および前記第２の特徴に対応する少なくとも１つのチャネル品質インジケータを備える、
請求項１８に記載の装置。
【請求項２０】
前記第１のダウンリンクデータは、前記フィードバックに従って、前記第１のダウンリンクデータチャネルまたは前記第２のダウンリンクデータチャネルのうちの１つを通じて前記第１の時間間隔の間に送られるようにスケジュールされる、
請求項１８に記載の装置。
【請求項２１】
前記第１の時間間隔は、ＴＴＩを備える、
請求項１７に記載の装置。
【請求項２２】
前記第１のダウンリンクデータを前記復号するための手段は、前記第１の制御チャネルまたは前記第２の制御チャネルのうちの対応する１つに従って前記第１のダウンリンクデータチャネルまたは前記第２のダウンリンクデータチャネルを復号するための手段を備える、
請求項１７に記載の装置。
【請求項２３】
第３のセルからの第３の制御チャネルおよび第４のセルからの第４の制御チャネルをモニタするための手段と、ここで、前記第３のセルは、前記第１のキャリア周波数と異なる第２のキャリア周波数で第３のダウンリンクデータチャネルを提供し、前記第４のセルは、前記第２のキャリア周波数で第４のダウンリンクデータチャネルを提供する、
前記第１の時間間隔の間に、前記第３のダウンリンクデータチャネルまたは前記第４のダウンリンクデータチャネルのうちの１つのみの第２のダウンリンクデータを復号するための手段と
をさらに備える、請求項１７に記載の装置。
【請求項２４】
前記第３のセルの第３の特徴および前記第４のセルの第４の特徴に対応するフィードバックを送信することをさらに備え、
前記第２のダウンリンクデータは、前記フィードバックに従って適合される、
請求項２３に記載の装置。
【請求項２５】
前記第２のダウンリンクデータは、前記フィードバックに従って、前記第３のダウンリンクデータチャネルまたは前記第４のダウンリンクデータチャネルのうちの１つを通じて前記第１の時間間隔の間に送られるようにスケジュールされる、
請求項２３に記載の装置。
【請求項２６】
ワイヤレス通信の装置であって、
第１のセルのための第１のパイロット信号を送信するための手段と、
第２のセルのための第２のパイロット信号を送信するための手段と、
前記第１のパイロット信号および第２のパイロット信号の特徴に対応する少なくとも１つのチャネル品質インジケータをＵＥから受信するための手段と、
前記少なくとも１つのチャネル品質インジケータの少なくとも一部に基づいて、前記第１のセルおよび前記第２のセルの間のより良いセルを決定するための手段と、
前記より良いセル上の前記ＵＥのためのパケットをスケジュールするための手段と
を備える、装置。
【請求項２７】
前記より良いセルを利用する前記ＵＥに前記パケットを送信するための手段をさらに備える、
請求項２６に記載の装置。
【請求項２８】
前記より良いセルを前記決定するための手段は、ＴＴＩ基準毎により前記良いセルを決定するように構成される、
請求項２６に記載の装置。
【請求項２９】
前記より良いセルを前記決定するための手段は、前記第１のセルおよび前記第２のセルの各々でのローディング状況にさらに基づいて前記より良いセルを決定するように構成される、
請求項２６に記載の装置。
【請求項３０】
第３のセルのための第３のパイロット信号を送信するための手段と、
第４のセルのための第４のパイロット信号を送信するための手段と、
前記第３のパイロット信号および第４のパイロット信号の特徴に対応する少なくとも１つの第２のチャネル品質インジケータを前記ＵＥから受信するための手段と、
前記少なくとも１つの第２のチャネル品質インジケータの少なくとも一部に基づいて、前記第３のセルおよび前記第４のセルの間の第２のより良いセルを決定するための手段と、
前記第２のより良いセル上の前記ＵＥのための第２のパケットをスケジュールするための手段と
をさらに備える、請求項２６に記載の装置。
【請求項３１】
前記第２のより良いセルを利用する前記ＵＥに前記第２のパケットを送信するための手段をさらに備える、
請求項３０に記載の装置。
【発明の詳細な説明】
【関連出願】
【０００１】
関連出願に対する相互参照  
本願は、全てのコンテンツが、参照により本明細書に組み込まれる２０１０年８月１６日に米国特許商標庁に出願された、米国仮特許出願６１／３７４，１９２号の優先権および利益を主張する。
【技術分野】
【０００２】
本開示の態様は、一般に、ワイヤレス通信システムに関し、特に、ワイヤレス通信システム内のダウンリンクキャリアアグリゲーションに関する。
【背景技術】
【０００３】
ワイヤレス通信システムは、電話、ビデオ、データ、メッセージング、およびブロードキャストなどのような様々な通信サービスを提供するように広く展開されている。通常、多元接続ネットワークであるようなネットワークは、利用可能なネットワークリソースを共有することによって複数のユーザのための通信をサポートする。そのようなネットワークの１つの例示は、ＵＭＴＳテレストリアルラジオアクセスネットワーク（ＵＴＲＡＮ）である。ＵＴＲＡＮは、ユニバーサルモバイルテレコミュニケーションシステム（ＵＭＴＳ）の一部、第３世代パートナーシッププロジェクト（３ＧＰＰ）によってサポートされる第３世代（３Ｇ）携帯電話技術として定義される無線アクセス網（ＲＡＮ）である。グローバルシステムフォーモバイルコミュニケーション（ＧＳＭ（登録商標））技術にとって代わるものである、ＵＭＴＳは、広域符号分割多元接続（Ｗ−ＣＤＭＡ）、時分割−符号分割多元接続（ＴＤ−ＣＤＭＡ）、および時分割−同期符号分割多元接続（ＴＤ−ＳＣＤＭＡ）のような様々な無線インターフェース基準を現在のところサポートする。ＵＭＴＳは、さらに関連するＵＭＴＳネットワークに対してより高速なデータ転送速度および容量を提供する、高速パケットアクセス（ＨＳＰＡ）のようなエンハンスド３Ｇデータ通信プロトコルをサポートする。
【０００４】
モバイル広帯域アクセスのための需要が増加し続けているように、研究開発は、モバイルブロードバンドアクセスのために増大している需要を満たすだけでなく、モバイル通信と共にユーザ経験を促進し強化するために、ＵＭＴＳ技術を向上させ続ける。
【０００５】
例えば、多くの移動局は、それらがセルエッジまたはセルエッジ付近でより良くコールを維持することができるようにする干渉抑制を備えるアドバンスド受信機を含む。さらに、多くの移動局は、フェージングの影響を緩和するために、受信機ダイバーシティとも称される、複数の受信アンテナを含む。しかしながら、これらのソリューションの相対的な費用および複雑さのために、アドバンスドタイプ３ｉ受信機を実装するのと別の単一の受信アンテナを利用する移動局の改良への関心が残る。
【発明の概要】
【０００６】
本開示の態様は、深刻なフェードの位置に移動するまたはセルエッジでまたはセルエッジ付近にいるにもかかわらず単一の受信アンテナＵＥのためのカバレージを改善しうる。本開示のいくつかの態様は、対応するセルのチャネル品質に基づいて、一定時間間隔にわたりＵＥのためのサービングセルを動的にスイッチングすることに類似すると考えられうる。すなわち、１個のセルからのダウンリンクが一定時間間隔の間にプアなチャネル品質を示す場合、データは、次の間隔において異なるセルにスケジュールされ、送信されうる。
【０００７】
具体的には、ＵＥは、複数のセル、現在ＵＥにサービスしている、サービングセルおよび少なくとも１つの非サービングセル、の各々からのダウンリンク上で到来している制御チャネル（例えば、ＨＳ−ＳＣＣＨ）をモニタしうる：マルチポイントＨＳＤＰＡシステムにおいて、セルの各々からのＨＳ−ＳＣＣＨは、同じ周波数を使用して送信されうる。ＵＥは、チャネル品質インジケータ（ＣＱＩ）を使用して、アップリンク送信で受信制御チャネルのチャネル品質をさらにレポートしうる。
【０００８】
ネットワークは、ＣＱＩの少なくとも一部に基づいて、セルのうちの１つのみ、そのセルはより良いリンクに対応する、からの特定の送信時間間隔（ＴＴＩ）の間にＵＥに送信されるべきデータをスケジュールしうる。
【０００９】
１つの態様において、本開示は、第１のセルからの第１の制御チャネルおよび第２のセルからの第２の制御チャネルをモニタすることを含むワイヤレス通信の方法を提供する。第１のセルおよび第２のセルは、同じキャリア周波数でそれぞれダウンリンクデータチャネルを提供する。方法は、第１の時間間隔の間に第１のダウンリンクデータチャネルまたは第２のダウンリンクデータチャネルのうちの１つのみのダウンリンクデータを復号することをさらに含みうる。
【００１０】
開示の別の態様は、第１のセルのための第１のパイロット信号を送信することと、第２のセルのための第２のパイロット信号を送信することと、第１のパイロット信号および第２のパイロット信号の特徴に対応する少なくとも１つのチャネル品質インジケータをＵＥから受信することと、少なくとも１つのチャネル品質インジケータの少なくとも一部基づいて、第１のセルと第２のセルとの間のより良いセルを決定することと、より良いセル上のＵＥのためにパケットをスケジュールすることとを含むワイヤレス通信の方法を提供する。
【００１１】
さらに、開示の別の態様は、第１のセルから第１の基準信号を受信し第２のセルから第２の基準信号を受信するための受信機と、ここで、第１のセルおよび第２のセルは、同じキャリア周波数内にある、第１の基準信号に対応する第１のチャネル推定値および第２の基準信号に対応するチャネル推定値を決定するためのチャネルプロセッサと、第１のチャネル推定値に対応する第１のチャネル品質インジケータと第２のチャネル推定値に対応する第２のチャネル品質インジケータを送信するための送信機と、第１のセルからの第１の制御情報および第２のセルからの第２の制御情報を受信し、データチャネルを復号するための制御情報を復号することを提供するための受信プロセッサと、第１の時間間隔の間に第１のセルまたは第２のセルのうちの１つに対応する制御情報を復号することに従って第１のデータチャネルまたは第２のデータチャネルのうちの１つのみを復号するための復号器とを含むワイヤレス通信のための装置を提供する。
【００１２】
さらに、本開示の別の態様は、第１のセルからの第１の制御チャネルおよび第２のセルからの第２の制御チャネルをモニタするための手段と、ここで、第１のセルは、第１のキャリア周波数における第１のダウンリンクデータチャネルを提供し、第２のセルは、第１のキャリア周波数における第２のダウンリンクデータチャネルを提供する、第１の時間間隔の間に第１のダウンリンクデータチャネルまたは第２のダウンリンクデータチャネルのうちの１つのみでダウンリンクデータを復号するための手段を含むワイヤレス通信のための装置を提供する。
【００１３】
さらに、開示の別の態様は、第１のセルのための第１のパイロット信号を送信するための手段と、第２のセルのための第２のパイロット信号を送信するための手段と、第１のパイロット信号および第２のパイロット信号の特徴に対応する少なくとも１つのチャネル品質インジケータをＵＥから受信するための手段と、第１のセルと第２のセルとの間のより良いセルを、少なくとも１つのチャネル品質インジケータの少なくとも一部に基づいて、決定するための手段と、より良いセル上でＵＥのためのパケットをスケジュールするための手段とを含むワイヤレス通信のための装置を提供する。
【００１４】
さらに、開示の別の態様は、第１のセルからの第１の制御チャネルおよび第２のセルからの第２の制御チャネルをモニタするためのコードと、ここで、第１のセルは、第１のキャリア周波数における第１のダウンリンクデータチャネルを提供し、第２のセルは、第１のキャリア周波数における第２のダウンリンクデータチャネルを提供する、第１の時間間隔の間に第１のダウンリンクデータチャネルまたは第２のダウンリンクデータチャネルのうちの１つのみでダウンリンクデータを復号するためのコードを有するコンピュータ可読媒体を含むコンピュータプログラム製品を提供する。
【００１５】
さらに、開示の別の態様は、第１のセルのための第１のパイロット信号を送信するためのコードと、第２のセルのための第２のパイロット信号を送信するためのコードと、第１のパイロット信号および第２のパイロット信号の特徴に対応する少なくとも１つのチャネル品質インジケータをＵＥから受信するためのコードと、第１のセルと第２のセルとの間のより良いセルを、少なくとも１つのチャネル品質インジケータの少なくとも一部に基づいて、決定するためのコードと、より良いセル上でＵＥのためのパケットをスケジュールするためのコードとを有するコンピュータ可読媒体を含むコンピュータプログラム製品。
【００１６】
さらに、本開示の別の態様は、少なくとも１つのプロセッサと、少なくとも１つのプロセッサに結合されたメモリとを含み、少なくとも１つのプロセッサは、第１のセルからの第１の制御チャネルおよび第２のセルからの第２の制御チャネルをモニタし、ここで、第１のセルは、第１のキャリア周波数における第１のダウンリンクデータチャネルを提供し、第２のセルは、第１のキャリア周波数における第２のダウンリンクデータチャネルを提供する、第１の時間間隔の間に第１のダウンリンクデータチャネルまたは第２のダウンリンクデータチャネルのうちの１つのみでダウンリンクデータを復号するように構成される、ワイヤレス通信のための装置を提供する。
【００１７】
さらに、本開示の別の態様は、少なくとも１つのプロセッサと、少なくとも１つのプロセッサに結合されたメモリとを含み、少なくとも１つのプロセッサは、第１のセルのための第１のパイロット信号を送信し、第２のセルのための第２のパイロット信号を送信し、第１のパイロット信号および第２のパイロット信号の特徴に対応する少なくとも１つのチャネル品質インジケータをＵＥから受信し、第１のセルと第２のセルとの間のより良いセルを、少なくとも１つのチャネル品質インジケータの少なくとも一部に基づいて、決定し、より良いセル上でＵＥのためのパケットをスケジュールするように構成されるワイヤレス通信のための装置を提供する。
【００１８】
発明のこれらおよび他の態様は、以下の詳細な説明の記述の概観でより十分に理解されるようになるだろう。
【図面の簡単な説明】
【００１９】
【図１】図１は、処理システムを用いる装置のためのハードウェア実施の例示を説明するブロック図である。
【図２】図２は、ユーザおよび制御プレーンのための無線プロトコルアーキテクチャの例示を説明する概念図である。
【図３】図３は、電気通信システムの例示を概念的に説明するブロック図である。
【図４】図４はアクセスネットワークの例示を説明する概念図である。
【図５】図５は、ＨＳＤＰＡシステムにおける制御チャネルおよびデータチャネルのためのタイミングを説明する図である。
【図６】図６は、シングルキャリアシステムにおけるアグリゲーションに基づくスイッチングを説明する概念図である。
【図７】図７は、シングルキャリアシステムにおける単一の基地局からのアグリゲーションに基づくスイッチングを説明する概念図である。
【図８】図８は、デュアルキャリアシステムにおけるアグリゲーションに基づくスイッチングを説明する概念図である。
【図９】図９は、デュアルキャリアシステムにおける単一の基地局からのアグリゲーションに基づくスイッチングを説明する概念図である。
【図１０】図１０は、電気通信システムにおけるＵＥと通信するノードＢの例示を概念的に説明するブロック図である。
【図１１】図１１は、ＵＥの受信機のＲＦフロントエンドの一部を概略的に説明するブロック図である。
【図１２】図１２は、ＵＥのベースバンドプロセッサの一部を概略的に説明するブロック図である。
【図１３】図１３は、ＵＥによって実行されうるワイヤレス通信のための処理を説明するフローチャートである。
【図１４】図１４は、ノードＢによって実行されうるワイヤレス通信のための処理を説明するフローチャートである。
【発明を実施するための形態】
【００２０】
以下で記載される詳細な説明は、添付図面に関連して、様々な構成の説明として意図されており、ここにおいて説明されるコンセプトが実践されうる唯一の構成を表すように意図されていない。詳細な説明は、様々な概念の完全な理解を提供するために具体的な詳細を含む。しかしながら、これらの概念がこれらの具体的な詳細なしで実行されることができるということは、当業者にとっては明らかであろう。他の例では、よく知られたストラクチャ及びコンポーネントは、そのようなコンセプトを不明瞭にすることを回避するために、ブロック図の形で示されている。
【００２１】
本開示の様々な態様に従って、エレメント、またはエレメントの任意の一部、または、エレメントの任意の組み合わせは、１つまたは複数のプロセッサを含む「処理システム（processing system）」で実施されることができる。プロセッサの例は、マイクロプロセッサ、マイクロコントローラ、デジタル信号プロセッサ（ＤＳＰ）、プログラマブル論理デバイス（ＰＬＤ）、ステートマシン、ゲート制御される論理、ディスクリートハードウェア回路、および、本開示全体にわたって説明される様々な機能を実行するように構成された他の適切なハードウェア、を含む。
【００２２】
処理システムにおける１つまたは複数のプロセッサは、ソフトウェアを実行しうる。ソフトウェアは、ソフトウェア、ファームウェア、ミドルウェア、マイクロコード、ハードウェア記述言語、または、別のものを言及しようとしなかろうと、命令、命令セット、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行のスレッド、プロシージャ、関数などを意味するように広く解釈されるべきである。ソフトウェアは、コンピュータ可読媒体上で常駐することができる。コンピュータ可読媒体は、非一時的なコンピュータ可読媒体でありうる。非一時的なコンピュータ可読媒体は、例として、磁気ストレージデバイス（例えば、ハードディスク、フロッピー（登録商標）ディスク、磁気ストリップ）、光学ディスク（例えば、コンパクトディスク（ＣＤ）、デジタル汎用ディスク（ＤＶＤ））、スマートカード、フラッシュメモリデバイス（例えば、カード、スティック、キードライブ）、ランダムアクセスメモリ（ＲＡＭ）、読み出し専用メモリ（ＲＯＭ）、プログラマブルＲＯＭ（ＰＲＯＭ）、消去可能なＰＲＯＭ（ＥＰＲＯＭ）、電気的消去・書込み可能なＰＲＯＭ（ＥＥＰＲＯＭ）、レジスタ、リムーバブルディスク、コンピュータによってアクセスされ、読み出されうるソフトウェアおよび／または命令を格納するための任意の他の適切な媒体を含む。コンピュータ可読媒体は、例として、キャリアウェーブ、伝送線、およびコンピュータによってアクセスされ読み出されうるソフトウェアおよび／または命令の送信するための任意の他の適切な媒体をさらに含みうる。コンピュータ可読媒体は、処理システムにおいて常駐していてもよく、処理システムに対して外付けであってよく、または、処理システムを含んでいる複数のエンティティにわたって分散していてもよい。コンピュータ可読媒体は、コンピュータプログラム製品で具体化されうる。例えば、コンピュータプログラム製品は、パッケージング材料においてコンピュータ可読媒体を含みうる。当業者は、特定のアプリケーションと全体システムに課された全体的な設計制約に依存して、本開示全体にわたって示されている説明される機能をどのように最良に実施するかを理解する。
【００２３】
図１は、処理システム１１４を用いる装置１００のためのハードウェア実施の例示を説明する概念図である。この例では、処理システム１１４は、バスアーキテクチャで実施されることができ、一般的にはバス１０２によって表される。バス１０２は、処理システム１１４の特定のアプリケーションと全体的な設計制約に依存している、任意の数の相互接続しているバスとブリッジを含むことができる。バス１０２は、コンピュータ可読媒体１０６によって一般的に表されるプロセッサ１０４、メモリ１０５およびコンピュータ可読媒体によって一般的に表される１つまたは複数のプロセッサを含んでいる様々な回路を一緒にリンクさせる。バス１０２はまた、タイミングソース、周辺機器、電圧調整器、および電力管理回路のような様々な他の回路をリンクさせ、そしてそれらは、当技術分野ではよく知られているので、さらには説明しない。バスインターフェース１０８は、バス１０２とトランシーバ１１０との間でインターフェースを提供する。トランシーバ１１０は、伝送媒体を通じて様々な他の装置と通信するための手段を提供する。装置の性質によっては、ユーザインタフェース１１２（例、キーパッド、ディスプレイ、スピーカー、マイクロフォン、ジョイスティック）もまた提供される。
【００２４】
プロセッサ１０４は、コンピュータ可読媒体１０６上で保存されるソフトウェアの実行を含むバス１０２及び一般的な処理を管理することに関与している。ソフトウェアは、プロセッサ１０４によって実施されるとき、処理システム１１４に、いずれの具体的な装置について後述される様々な機能を実行させる。コンピュータ可読媒体１０６はまた、ソフトウェアを実行するとき、プロセッサ１０４によって操作されるデータを保存するために使用されることができる。
【００２５】
ワイヤレス通信システムにおいて、モバイルデバイスとセルラーネットワークとの間の無線プロトコルアーキテクチャは、特定のアプリケーションによって様々な形式を呈しうる。３ＧＰＰの高速パケットアクセス（ＨＳＰＡ）システムのための例示は、ユーザ機器（ＵＥ）と一般にノードＢと称される、基地局との間のユーザおよび制御プレーンのための無線プロトコルアーキテクチャの例示を説明する、図２を参照してここに示されることになる。ここで、ユーザプレーンまたはデータプレーンは、ユーザトラフィックを搬送する一方で制御プレーンは、制御情報、つまりシグナリングを搬送する。
【００２６】
図２を参照して、ＵＥおよびノードＢのための無線プロトコルアーキテクチャは、レイヤ１、レイヤ２、およびレイヤ３の３つのレイヤで示される。レイヤ１は、最下位のレイヤであり、様々な物理レイヤの信号処理機能を実施するする。レイヤ１は、物理レイヤ２０６と本願では称される。レイヤ２（Ｌ２レイヤ）２０８と称される、データリンクレイヤは、物理レイヤ２０６の上位にあり、物理レイヤ２０６を通じてＵＥとノードＢとの間のリンクに関与する。
【００２７】
レイヤ３では、ＲＲＣレイヤ２１６は、ＵＥとノードＢとの間の制御プレーンシグナリングを取り扱う。ＲＲＣレイヤ２１６は、高次レイヤメッセージをルーティングし、ブロードキャストおよびページング機能を取り扱い、無線ベアラを確立し構成するための多くの機能エンティティを含む。
【００２８】
説明される無線インターフェースにおいて、Ｌ２レイヤ２０８は、サブレイヤに分けられる。制御プレーンにおいて、Ｌ２レイヤ２０８は、媒体アクセス（ＭＡＣ）サブレイヤ２１０と無線リンク制御（ＲＬＣ）サブレイヤ２１２と、の２つのサブレイヤを含む、ユーザプレーンにおいて、Ｌ２レイヤ２０８は、パケットデータコンバージェンスプロトコル（ＰＤＣＰ）サブレイヤ２１４を追加として含む。示されていないが、ＵＥは、ネットワーク側のＰＤＮゲートウェイ２０８で終了するネットワークレイヤ（例えば、ＩＰレイヤ）と、接続の他端（例えば、遠端ＵＥ（far end UE）、サーバなど）で終了するアプリケーションレイヤとを含むＬ２レイヤ２０８より上位のいくつかの上位レイヤを有することができる。
【００２９】
ＰＤＣＰサブレイヤ２１４は、異なる無線ベアラと論理チャネルとの間で多重化することを提供する。ＰＤＣＰサブレイヤ２１４はまた、無線送信オーバヘッドを低減する上位レイヤデータパケットのヘッダ圧縮と、データパケットを暗号化することによるセキュリティと、ＮｏｄｅＢ間のＵＥのためのハンドオーバサポートとを提供する。
【００３０】
ＲＬＣサブレイヤ２１２は、ハイブリッド自動繰り返し要求（ＨＡＲＱ）により順序がばらばらな受信を補償するために、上位レイヤデータパケットのセグメント化及びリアセンブリ、失われたデータパケットの再送信、および、データパケットの並べ替えを提供する。
【００３１】
ＭＡＣサブレイヤ２１０は、論理チャネルとトランスポートチャネルと間の多重化を提供する。さらに、ＭＡＣサブレイヤ２１０はまた、ＵＥのうちで１つのセルにおいて様々な無線リソース（例えば、リソースブロック）を割り当てることに関与する。ＭＡＣサブレイヤ２１０はまた、ＨＡＲＱオペレーションに関与する。
【００３２】
本開示の全体にわたって示された様々な概念は、広範な種類の電気通信システム、ネットワークアーキテクチャ、および通信基準にわたって実施されうる。ここで図３を参照し、限定ではなく例示を目的として、本開示の様々な態様は、Ｗ−ＣＤＭＡ無線インターフェースを用いる、ユニバーサルモバイルテレコミュニケーションシステム（ＵＭＴＳ）システム３００に関して説明される。ＵＭＴＳネットワークは、コアネットワーク（ＣＮ）３０４、ＵＭＴＳテレストリアルラジオアクセスネットワーク（ＵＴＲＡＮ）３０２、およびユーザ機器（ＵＥ）３１０、の３つの祖相互作用するドメインを含む。この例示において、ＵＴＲＡＮ３０２は、電話通信、ビデオ、データ、メッセージ、ブロードキャスト、および／または他のサービスを含む様々なワイヤレスサービスを提供しうる。ＵＴＲＡＮ３０２は、ＲＮＣ３０６のようなそれぞれの無線ネットワーク制御器（ＲＮＣ）によって各々制御される、無線ネットワークサブシステム（ＲＮＳ）３０７のような複数のＲＮＳを含みうる。ここで、ＵＴＲＡＮ  ３０２は、説明されるＲＮＣ３０６およびＲＮＳ３０７に加えて任意の数のＲＮＣ３０６およびＲＮＳ３０７を含みうる。ＲＮＣ３０６は、特に、ＲＮＳ３０７の内の無線リソースを割り当てることと、再構成することと、リリースすることとに関与する装置である。ＲＮＣ３０６は、任意の適切な転送ネットワークを使用する、直接の物理的接続、仮想ネットワーク、などのような様々なタイプのインターフェースを通じてＵＴＲＡＮ３０２の他のＲＮＣ（図示せず）と相互接続されうる。
【００３３】
ＵＥ３１０とノードＢ３０８との間の通信は、物理（ＰＨＹ）レイヤおよびメディアアクセス制御（ＭＡＣ）レイヤを含むように見なされうる。さらに、それぞれのノードＢ３０８を経由するＵＥ３１０とＲＮＣ３０６との間の通信は、無線リソース制御（ＲＲＣ）レイヤを含むように見なされうる。
【００３４】
ＲＮＳ３０７によってカバーされる地理的領域は、各セルをサービスする無線トランシーバ装置と共に、多くのセルに分けられうる。トランシーバ装置は、ＵＭＴＳアプリケーションにおけるノードＢと一般に称されるが、さらに当業者によって、基地局（ＢＳ）、ベーストランシーバ局（ＢＴＳ）、無線基地局、無線トランシーバ、トランシーバ機能、基本サービスセット（ＢＳＳ）、拡張サービスセット（ＥＳＳ）、アクセスポイント（ＡＰ）、または他の適切な用語として称されうる。明瞭さのために、３つのノードＢ３０８は、各ＲＮＳ３０７内に示される；しかしながら、ＲＮＳ３０７は、任意の数のワイヤレスノードを含みうる。ノードＢ３０８は、任意の数のモバイル装置のためのコアネットワーク（ＣＮ）３０４にワイヤレスアクセスポイントを提供する。モバイル装置の例は、セルラフォン、スマートフォン、セッションイニシエーションプロトコル（ＳＩＰ）フォン、ラップトップ、ノートブック、ネットブック、スマートブック、携帯情報端末（ＰＤＡ）、衛星無線、グローバルポジショニングシステム、マルチメディアデバイス、ビデオデバイス、デジタルオーディオプレイヤー（例えば、ＭＰ３プレイヤー）、カメラ、ゲームコンソール、または任意の他の同様な機能デバイスを含む。モバイルの装置は、ＵＭＴＳアプリケーションにおいて一般にユーザ機器（ＵＥ）と称されるが、当業者によって、さらに移動局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末（ＡＴ）、モバイル端末、ワイヤレス端末、リモート端末、ハンドセット、端末、ユーザエージェント、モバイルクライアント、クライアント、または他のある適切な用語と称されうる。ＵＭＴＳシステムにおいて、ＵＥ３１０は、ネットワークに対するユーザ加入情報を包含する、ユニバーサル加入者識別モジュール（ＵＳＩＭ）３１１をさらに含みうる。説明の目的のために、１つのＵＥ３１０は、多くのノードＢ３０８と通信するように示される。フォワードリンクとも称されるダウンリンク（ＤＬ）は、ノードＢ３０８からＵＥ３１０への通信リンクを指し、リバースリンクとも称されるアップリンク（ＵＬ）は、ＵＥ３１０からノードＢ３０８への通信リンクを指す。
【００３５】
コアネットワーク３０４は、ＵＴＲＡＮ３０２のような１つまたは複数のアクセスネットワークとインターフェースをとる。示されるように、コアネットワーク３０４は、ＧＳＭコアネットワークである。しかしながら、当業者が認識するように、本開示の全体にわたって示される様々な概念は、ＵＥにＧＳＭネットワーク以外のタイプのコアネットワークへのアクセスを提供するために、ＲＡＮ、または他の適切なアクセスネットワークで実施されうる。
【００３６】
説明されるＧＳＭコアネットワーク３０４は、回路切り替え（ＣＳ：circuit-switched）ドメインおよびパケット切り替え（ＰＳ：packet-switched）ドメインを含む。回路切り替えエレメントのうちのいくつかは、モバイルサービススイッチングセンタ（ＭＳＣ）、ビジターロケーションレジスタ（ＶＬＲ）、およびゲートウェイＭＳＣ（ＧＭＳＣ）である。パケット切り替えエレメントは、サービングＧＰＲＳサポートノード（ＳＧＳＮ）およびゲートウェイＧＰＲＳサポートノード（ＧＧＳＮ）を含む。ＥＩＲ、ＨＬＲ、ＶＬＲおよびＡｕＣのようなあるネットワークエレメントは、回路切り替えドメインおよびパケット切り替えドメイン両方によって共有されうる。
【００３７】
説明される例示において、コアネットワーク３０４は、ＭＳＣ３１２およびＧＭＳＣ３１４を備えた回路切り替えサービスをサポートする。あるアプリケーションにおいて、ＧＭＳＣ３１４は、メディアゲートウェイ（ＭＧＷ）と称されうる。ＲＮＣ３０６のような１つまたは複数のＲＮＣは、ＭＳＣ３１２に接続されうる。ＭＳＣ３１２は、コール設定、コールルーティング、およびＵＥモビリティ機能を制御する装置である。ＭＳＣ３１２は、さらにＵＥがＭＳＣ３１２のカバレッジエリアにいる期間に対する加入者関連情報を含むビジターロケーションレジスタ（ＶＬＲ）を含む。ＧＭＳＣ３１４は、ＵＥが回路切り替えネットワーク３１６にアクセスするためにＭＳＣ３１２を通じてゲートウェイを提供する。ＧＭＳＣ３１４は、特定のユーザが加入するサービスの詳細を反映するデータのような、加入者データを含むホームロケーションレジスタ（ＨＬＲ）３１５を含む。ＨＬＲは、さらに加入者特有の認証データを含む認証センタ（ＡｕＣ）に関連する。コールが特定のＵＥのために受信される場合、ＧＭＳＣ３１４は、ＵＥのロケーションを決定するためにＨＬＲ３１５をクエリし、そのロケーションをサービスする特定のＭＳＣへコールを転送する。
【００３８】
説明するコアネットワーク３０４は、さらにサービングＧＰＲＳサポートノード（ＳＧＳＮ）３１８およびゲートウェイＧＰＲＳサポートノード（ＧＧＳＮ）３２０を備えたパケットデータサービスをサポートする。汎用パケット無線サービスのための基準である、ＧＰＲＳは、基準回路切り替えデータサービスで利用可能なものより高速なパケットデータサービスを提供ために設計される。ＧＧＳＮ３２０は、パケットベースのネットワーク３２２へのＵＴＲＡＮ３０２のために接続を提供する。パケットベースのネットワーク３２２は、インターネット、プライベートデータネットワーク、または他のある適切なパケットベースのネットワークでありうる。ＧＧＳＮ３２０の主要機能は、ＵＥ３１０にパケットベースのネットワーク接続を提供することである。データパケットは、ＭＳＣ３１２が回線切り替えドメインで実行するようにパケットベースのドメインにおいて同じ機能を主として実行する、ＳＧＳＮ３１８を通じてＧＧＳＮ３２０とＵＥ３１０との間で転送されうる。
【００３９】
ＵＭＴＳ無線インターフェースは、スペクトラムダイレクト−シーケンス符号分割多元接続（ＤＳ−ＣＤＭＡ）システムでありうる。スペクトル拡散ＤＳ−ＣＤＭＡは、チップと称される擬似ランダムビットのシーケンスによる乗算を通じてユーザデータを拡散する。ＵＭＴＳのためのＷ−ＣＤＭＡ無線インターフェースは、そのようなＤＳ−ＣＤＭＡ技術および周波数分割複信（ＦＤＤ）に基づく。ＦＤＤは、ノードＢ３０８とＵＥ  ２１０との間のアップリンク（ＵＬ）およびダウンリンク（ＤＬ）に対して異なるキャリア周波数を使用する。ＤＳ−ＣＤＭＡ、および時分割複信（ＴＤＤ）を利用するＵＭＴＳのための別の無線インターフェースは、ＴＤ−ＳＣＤＭＡ無線インターフェースである。当業者は、本明細書に記述された様々な例示がＷ−ＣＤＭＡ無線インターフェースを指すが、基本原理がＴＤ−ＳＣＤＭＡ無線インターフェースに対して等しく適用可能であることを認識することになる。
【００４０】
高速パケットアクセス（ＨＳＰＡ）無線インターフェースは、より大きなスループットおよび低減されたレイテンシを容易にする、３Ｇ／Ｗ−ＣＤＭＡ無線インターフェースへの一連の改良を含む。以前のリリースに対する他の修正の中で、ＨＳＰＡは、ハイブリッド自動再送要求（ＨＡＲＱ）、共有チャネル送信、および適応変調およびコーディングを利用する。ＨＳＰＡを定義する基準は、ＨＳＤＰＡ（高速ダウンリンクパケット接続）およびＨＳＵＰＡ（高速アップリンクパケット接続、さらにエンハンスドアップリンク、またはＥＵＬと称される）を含む。
【００４１】
ここで図４を参照して、限定ではなく例示として、ＵＳＰＡを利用しうるＵＴＲＡＮアーキテクチャの単純化されたアクセスネットワーク４００が説明される。システムは、各々が１つまたは複数のセクタを含みうる、セル４０２、４０４および４０６を含む、複数のセルラ領域（セル）を含む。セルは、例えばカバレッジエリアによって、地理的に定義される、および／または周波数、スクランブリングコードなどに従って定義されうる。すなわち、説明される地理的に定義されたセル４０２、４０４および４０６は、例えば異なるスクランブリングコードを利用することによって、複数のセルに各々さらに分割されうる。例えば、セル４０４ａは、第１のスクランブリングコードする一方で、同じ地理領域にあり同じノードＢ４４４によってサービスされるセル４０４ｂは、第２のスクランブリングコードを利用することによって識別されうる。
【００４２】
セクタに分割されるセルにおいて、セル内の複数のセクタは、セルの一部にいるＵＥとの通信に関与する各アンテナを備えるアンテナグループによって形成されうる。例えば、セル４０２では、アンテナグループ４１２、４１４および４１６は、各々異なるセクタに対応する。セル４０４では、アンテナグループ４１８、４２０および４２２は、各々異なるセクタに対応する。セル４０６では、アンテナグループ４２４、４２６および４２８は、各々異なるセクタに対応する。
【００４３】
セル４０２、４０４および４０６は、各セル４０２、４０４または４０６の１つまたは複数のセクタと通信するいくつかのＵＥを含みうる。例えば、ＵＥ４３０および４３２は、ノードＢ  ４４２と通信し、ＵＥ４３４および４３６は、ノードＢ  ４４４と通信し、ＵＥ４３８および４４０は、ノードＢ  ４４６と通信しうる。ここで、各ノードＢ  ４４２、４４４、４４６は、それぞれのセル４０２、４０４および４０６におけるすべてのＵＥ４３０、４３２、４３４、４３６、４３８、４４０のためにコアネットワーク２０４（図２を参照）へのアクセスポイントを提供するように構成される。
【００４４】
簡潔さのために、即時の開示において以下で用語「セル」は、異なるノードＢからのセルおよび同じノードからの異なるセクタを含みうる。
【００４５】
ＵＥ（例えばＵＥ４３４）がアクセスネットワーク４００を動き回るように、ＵＥ４３４は、様々なセルの信号特性の様々な測定を実行し、それらの信号の品質に関してアップリンク送信上でレポートを送りうる。これらのレポートの一部分に基づいて、ＵＴＲＡＮは、そのサービングセルを変更するようにＵＥ４３４に命じる適切なシグナリングメッセージを送信することによってハンドオーバプロシージャにおけるＵＥのサービングセルを変更することを決定しうる。ここで、サービングセルは、ＵＥがとどまっているセルである。ハンドオーバは、ハードハンドオーバ（例えば、行う前に中断する（break-before-make）、あるいはソフトハンドオーバ（中断する前に行う（make before-break）でありうる。ソフトハンドオーバにおいて、ＵＥは、一定時間の間、２つまたはそれ以上のセル、つまりプライマリサービングセルと１つまたは複数のセカンダリサービングセルと同時に接続されうる。すなわち、ＵＥは、１つまたは複数のノードＢから複数のセルを含むアクティブセットを維持しうる。ＵＥが移動するか、無線状態が他の状態に変わるように、セルは、アクティブセットに追加され、アクティブセットから削除されうる。
【００４６】
標準の３ＧＰＰファミリのリリース５において、高速ダウンリンクパケットアクセス（ＨＳＤＰＡ）が導入された。前のシステムと同様に、ＨＳＤＰＡ  ＵＥは、概してダウンリンクチャネルのあるパラメータの測定をモニタし実行する。しかしながら、ＨＳＤＰＡにおいて、これらの測定値に基づいてＵＥは、アップリンク送信上でノードＢにフィードバックを提供することができる。
【００４７】
このフィードバックは、チャネル品質インジケーション（ＣＱＩ）を含むことができる。それは、どの推定されたトランスポートブロックサイズ、変調タイプ、および並列コードの数がダウンリンクにおいて合理的なブロック誤り率（ＢＬＥＲ）で正確に受信できるかを一般に示す。ここで、ＣＱＩレポートは、リンク適応およびスケジューリングアルゴリズムのために利用することができる。したがって、ノードＢは、ＵＥからレポートされたＣＱＩに基づいて、サイズ、コーディングフォーマットなどを有するダウンリンク送信上でＵＥに次のＭＡＣ−ｈｓ／ＭＡＣ−ｅｈｓパケットを提供しうる。さらに、ＣＱＩレポートは、無線インターフェースのための容量推定のために利用されうる。
【００４８】
ＨＳＤＰＡは、ダウンリンク方向にユーザデータを搬送する高速ダウンリンク共有チャネル（ＨＳ−ＤＳＣＨ）をそのトランスポートチャネルとして利用する。ＨＳ−ＤＳＣＨ伝送時間間隔（ＴＴＩ）またはインターリービング期間は、ＵＥとノードＢとの間の再送信のための比較的短い往復遅延を達成するために長さ２ミリ秒（３スロット）でありうる。
【００４９】
ＨＳ−ＤＳＣＨは、高速物理ダウンリンク共有チャネル（ＨＳ−ＰＤＳＣＨ）、高速共用制御チャネル（ＨＳ−ＳＣＣＨ）、および高速専用物理制御チャネル（ＨＳ−ＤＰＣＣＨ）、の３つの物理チャネルによって実施されうる。これらの物理チャネルの中で、ＨＳ−ＰＤＳＣＨは、ＨＳ−ＳＣＣＨによってガイドされるように、１つまたは複数のコードチャネルへ動的にマップされ、ユーザデータを搬送しうる。図５において説明されるように、ＨＳ−ＳＣＣＨ５０２は、２つの部分に分割されうる。３つのスロットのうちの第１のスロットを含む、第１の部分５０２ａにおいて、ＨＳ−ＳＣＣＨ５０２は、例えば、受信するためにどのコードおよびどの変調および拡散因子が使用されているかのような、ＨＳ−ＤＳＣＨ５０４を受信するためにＵＥによって利用されるある時間−クリティカル情報を含みうる。第２のスロットを含む第２の部分５０２ｂは、ＵＥのための時間−クリティカルでない追加情報を含みうる。したがって、ＵＥが特定のセクタまたはセルに対応するＨＳ−ＳＣＣＨ５０２をモニタする場合、ＵＥは、そのＵＥに向けられたデータがあるかどうかＨＳ−ＤＳＣＨ５０４に対応するダウンリンクデータを受信し復号することを可能にする。
【００５０】
アップリンク上で、ＨＳ−ＤＰＣＣＨは、変調およびコーディングスキーム、およびプレコーディング重み選択に関してノードＢが正しい決定を行うようアシストするために、ＵＥからフィードバックシグナリングを搬送しうる。例えば、このフィードバックシグナリングは、ＣＱＩおよびＰＣＩを含みうる。ＨＳ−ＤＰＣＣＨは、先のＨＳ−ＤＳＣＨ上に対応するパケット送信が首尾よく復号されたかどうか表示するためにＨＡＲＱ  ＡＣＫ／ＮＡＣＫシグナリングをさらに含みうる。すなわち、ＵＥは、ダウンリンク上のパケットを正確に復号したかどうか表示するために、ＨＳ−ＤＰＣＣＨを通じてノードＢにフィードバックを提供しうる。
【００５１】
ＨＳＤＰＡと以前に標準化された回線切り替え無線インターフェースとの間のダウンリンク上の１つの違いは、ＨＳＤＰＡにおけるソフトハンドオーバが無いことである。これは、データがＨＳＤＰＡサービングセルと称される単一のセルからＵＥへ送信されることを意味する。ユーザが移動するように、または１つのセルが別のものより好ましくなるように、ＨＳＤＰＡサービングセルが変化しうる。
【００５２】
すなわち従来のＨＳＤＰＡシステムにおいて、任意の事例では、ＵＥは、１つのサービングセルを有する。３ＧＰＰ  ＴＳ  ２５．３３１のリリース５で定義されたモビリティプロシージャに従って、ＨＳＰＤＡサービングセルを変更するための無線リソース制御（ＲＲＣ）シグナリングメッセージは、現在のＨＳＤＰＡサービングセル（つまりソースセル）から送信され、ＵＥがより強いセルである（つまりターゲットセル）としてレポートしたセルから送信されない。サービングセル変更（ＳＣＣ）プロシージャでは、ＵＥは、サービングセルが現在のサービングソースセルからターゲットセルに変更されることを要求する。この要求は、いわゆる「イベント１Ｄ」メッセージを通じてＵＴＲＡＮに送られる。ＵＴＲＡＮおよびＵＥはいくつかのメッセージを交換し、プロシージャが完了している場合、ＨＳデータは、ターゲットセルからサービスされる。
【００５３】
３ＧＰＰ標準のリリース８は、デュアルセルＨＳＤＰＡ（ＤＣ−ＨＳＤＰＡ）を提示した。ここで、単一のＵＥは、ＵＥが２つの５ＭＨｚキャリア周波数からダウンリンク情報をアグリゲートするような、デュアル受信チェーンを含みうる。すなわちＤＣ−ＨＳＤＰＡにおいて、ノードＢは、ダウンリンクスループットを本質的に２倍にするためにＵＥに２つのキャリア周波数上で２つのＨＳ−ＤＳＣＨチャネルを提供しうる。ＤＣ−ＨＳＤＰＡは、ＵＥが単一のセクタに統合されるリソースのスケジューリングのような、単一のセクタからＵＥへ２つのＨＳ−ＤＳＣＨを提供しうる。
【００５４】
３ＧＰＰ標準のさらに後のリリースにおいて、３Ｃ−ＨＳＤＰＡおよび４Ｃ−ＨＳＤＰＡは、ＤＣ−ＨＳＤＰＡのものを越えたユーザーデータレートのさらなる増加を提供することができる。さらに多くのキャリアにおいてさらなる発展が継続している。
【００５５】
ＵＥ４３４（図４を参照）が２つの近隣セクタの境界でＨＳＤＰＡサービスを利用している場合、このサービスのスループットは、サービングセクタからのセクタ間干渉または低い信号品質のためにしばしば制限される。近隣のセクタからの干渉によって、および／またはサービングセクタからの弱い信号によって、端末は、非常に制限されたデータレートでのみサービス提供を受けうる。したがって、ＤＣ−ＨＳＤＰＡシステムにおいて、１つまたは両方のＨＳ−ＤＳＣＨチャネルの品質が低下する場合、セクタは、ＵＥにデュアルセルをその後提供する、別のセクタに単にハンドオーバしうる。
【００５６】
単一のキャリアの５ＭＨｚの配置においてアドバンスド受信機（例えば、タイプ３ｉ）でＤＣ−ＨＳＤＰＡ  ＵＥを利用する利点のうちのいくつかは、当該技術分野で既知である。例えば、利点のうちのいくつかは、サービングＨＳ−ＤＳＣＨセルからＵＥをスケジューリングに加えるという事実によって、近隣セルが軽いロードであった場合に、近隣セルは、独立パケットをＤＣ−ＨＳＤＰＡ  ＵＥにさらに送信できるので、ユーザエクスペリエンスが改善することである。そのようなＵＥが線形干渉を抑えるイコライザのようなアドバンスド受信機（例えばタイプ３ｉ）を利用するという事実は、一般に、ＵＥが同時に両方のストリームを正確に復号することを可能にする。
【００５７】
現実的な配置において、システムは、希に十分に利用される。例えば、ＵＥのサービングセルは、（ＵＥのアクティブセットにおける）近隣のセルが比較的より軽くロードされている時に重いロードを経験しうる。イントラ−ＮＢアグリゲーションまたはインター−ＮＢアグリゲーションが許容された場合、そのようなＵＥは、ネットワークにおいて動的ロードバランシングに帰着する、サービングセルと近隣セルとの両方からスケジューリングされうる。もしアグリゲーションが許容されなければ、そのようなＵＥは、単にサービングセルからスケジューリングされ、そのために比較的よりプアなパフォーマンスに遭遇しうる。
【００５８】
最近、ＤＣ−ＨＳＤＰＡ  ＵＥは、ＵＥのデュアル受信チェーンが同じ５−ＭＨｚキャリアを受信するように構成されることができるような方法で実施されている。これは、単一のキャリアおよびデュアルセルＨＳＤＰＡ（ＳＦＤＣ−ＨＳＤＰＡ）、調整されたマルチポイントＨＳＤＰＡ（ＣｏＭＰ−ＨＳＤＰＡ）、または単にマルチポイントＨＳＤＰＡと称されている。マルチポイントＨＳＤＰＡシステムにおいて、ＵＥの受信機は、異なるノードＢ（インター−ノードＢアグリゲーション）によって提供される異なるセル、または同じノードＢ（イントラ−ノードＢアグリゲーション）によって提供される異なるセルからＵＥがダウンリンク情報を受信するような受信機ダイバーシティを提供することができる。典型的には、セルのうちの１つはプライマリサービングセルとして称され、他のセルあるいはまたは他の複数のセルは、セカンダリサービングセルと称される。
【００５９】
マルチポイントＨＳＤＰＡは、ソフトおよびソフターハンドオーバのためのパフォーマンスを改善し、セル間の境界で、またはその境界の近くでのセル間干渉を低減するポテンシャルによって重大な興味を生み出している。しかしながら、費用および複雑さを低減するために、多くのＵＥは、複数の受信機を実装せず、ＨＳＤＰＡ使用法のための単一の受信アンテナのみを含む。これらのＵＥにおいて、複数の同時に送信されたダウンリンクキャリアのアグリゲーションは、一般に可能ではない。
【００６０】
ＵＥが単一の受信アンテナを有する、特に、ＵＥがタイプ３ｉのようなアドバンスド受信機を含まない場合、ＤＣ−ＨＳＤＰＡまたはマルチポイントＨＳＤＰＡで達成される利得は、利用可能でない。すなわち、単一の受信アンテナを備えたＵＥは、一般に、受信機ダイバーシティを備えるＵＥと同じくらい効果的にインターセル干渉を抑制することが出来ない。それにもかかわらず、単一のパスフェージングシナリオにおけるそのようなＵＥにダイバーシティの利益を提供するよう望まれている。
【００６１】
したがって、本開示の態様において、単一の受信アンテナを備えたＵＥは、スイッチングベースのアグリゲーションを利用することによって受信ダイバーシティの利益のうちのいくつかを実現する。ここで、ソフトまたはソフターハンドオフにおけるＵＥは、特定の期間の間にプライマリサービングセルおよびセカンダリサービングセルの内の最も強いサービングセルによってサービスを受ける。例えば、プライマリサービングセルおよびセカンダリサービングセルからＵＥに同時にダウンリンクを送るのではなく、パケットは、単一の受信チェーンを有するＵＥへ特定の間隔の間のセルのうちのより強いものから送信されうる。ここで、より強いセルは、ＵＥからのフィードバック情報に従って決定されうる。このフィードバック情報は、ＣＱＩまたはチャネル品質の任意の他の適切なインジケータあるいはそれぞれのダウンリンクチャネルの強さを含みうる。これは、ＣＱＩフィードバックに基づいて、所定の間隔でＵＥのサービングセルを動的にスイッチングすることと同じあるいは類似すると見なされうる。
【００６２】
例えば、図６は、本開示のいくつかの態様に従うスイッチングベースのアグリゲーションシステムを説明する簡略図である。説明図６００ａにおいて、マルチポイントＨＳＤＰＡのために構成されたＵＥ６０２は、２つのセル６０４および６０６からのダウンリンクを同時に受信することができる。しかしながら、単一の受信アンテナを含むＵＥ６０８のようなＵＥは、同時にデュアルダウンリンクを受信することができえない。したがって、ＵＥ６０８は、説明図６００ｂで説明されるように第１の間隔の間に第１のセル６０４からダウンリンク送信を受信し、ＵＥ６０８は、説明図６００ｃで説明されるように第２の間隔の間に第２のセル６０６からダウンリンク送信を受信しうる。ここで、説明図６００ｂおよび６００ｃのシナリオは、ＵＥ６０８からのフィードバックに従って間隔ごと（from interval to interval）に切り替えうる。
【００６３】
図７は、ＵＥ６０８がノードＢ  ７０２によって提供される２つのセルの間でスイッチングできることに加えて、図６で説明されたように異なるノードＢ  ６０４および６０６によって提供される２つのセルの間をスイッチングできることを示す、間隔７００ａおよび７００ｂを説明する。
【００６４】
本開示のさらなる態様において、デュアル周波数を利用するネットワークにおいてデュアル受信チェーンを備えるＵＥは、各受信チェーンについて以上で説明されるように類似のスイッチングスキームを利用しうるので、４キャリアシステムの利益のうちのいくつかを達成することができる。すなわち、ＵＥからのフィードバックに基づいて２つまたはそれ以上のキャリアのスイッチングベースのアグリゲーションが、複数の受信チェーンの各々で実施されうる。これは、独立に２つの周波数について以上で説明されるスイッチングスキームを動作させることと実質的に等価であると見なされうる。本開示のこの態様において、多くとも１つのパケットが任意の周波数上でＵＥに送信されるので、ＵＥは、単一の受信アンテナを利用しうる。当然、任意の適切な数のアンテナが様々な例示において利用されうる。
【００６５】
ここで、ＵＥは、そのアクティブセットに２つのセルを含み、同時に２つのパケットを受信するように構成されうる。ここで、各周波数上で１つのパケットであり、その周波数において２つのセルのうちの１つからのものである。したがって、所与の間隔の間に、１つのセルは、周波数毎にＵＥに送信する。
【００６６】
例えば、図８は、本開示のいくつかの態様に従うスイッチングベースのアグリゲーションを説明する簡略図である。説明図８００ａにおいて、デュアル周波数のデュアルセルＨＳＤＰＡのために構成されたＵＥ８０２は、２つのセル８０４および８０６の各々からデュアルキャリアダウンリンクを同時に受信する。しかしながら、デュアル受信チェーンを含むＵＥ８０８のようなＵＥは、同時に４つのダウンリンクすべてを受信することができえない。したがって、ＵＥ８０８は、説明図８００ｂで説明されるように第１の間隔の間に第１のセルからのデュアルダウンリンク送信を受信しうる。ＵＥ８０８は、説明図８００ｃで説明されるように第２の間隔の間に第２のセル８０６からデュアルダウンリンク送信を受信しうる。ＵＥ８０８は、説明図８００ｄで説明されるように第３の間隔の間に第１のセル８０４から第１の周波数で単一のダウンリンク送信、および第２のセル８０６から第２の周波数で単一のダウンリンク送信を受信しうる。ＵＥ８０８は、説明図８００ｅで説明されるように第４の間隔の間に第２のセル８０６から第１の周波数で単一のダウンリンク送信および第１のセル８０４から第２の周波数で単一のダウンリンク送信を受信しうる。ここで、説明図８００ｂ−８００ｄのシナリオは、ＵＥ８０８からのフィードバックに従って間隔毎に切り替わりうる。すなわち、ＵＥ８０８は、間隔毎に２つの周波数の各々上で２つのセルの各々のためにフィードバックを提供しうる。
【００６７】
図９は、ＵＥ８０８が同じノード９０２によって提供される２つのセルの間でスイッチングすることができることに加えて、図８で説明されるように異なるノード８０４および８０６によって提供される２つのセルの間でスイッチングすることができることを示す、間隔９００ａ−９００ｄを説明する。ここで、ＵＥ８０８は、９００ａおよび９００ｂで説明されるように単一のセクタから両方の周波数を受信しうる、あるいはＵＥは、９００ｃおよび９００ｄで説明されるように各セクタから単一の周波数を受信しうる。
【００６８】
当然、本開示のさらにさらなる態様において、任意の数の受信チェーンが以下で説明される特徴に従ってスイッチングベースのアグリゲーションを実施しうる。
【００６９】
本開示に従ういくつかの実施は、ソフトまたはよりソフトのハンドオーバの間のバーストレートにおける著しい改良を提供し、さらに単一の受信アンテナに制限され、タイプ３ｉ受信機を欠くＵＥのための単一の５ＭＨｚキャリア配置においてＨＳ−ＤＳＣＨカバレージが改善される
以下の本開示の例示的な態様の詳細な記述のほとんどで、ＨＳＤＰＡシステムは、説明に役立つ例示として利用される。しかしながら、他のシステムおよびネットワークは、本開示のさまざまな態様に従って利用されうる。例えば、ＵＥからのフィードバックは、ＨＳ−ＤＰＣＣＨ上でＣＱＩ情報として、あるいは任意のアップリンクチャネル上の任意の適切なフィードバック情報として実施されうる。
【００７０】
図１０は、例示のＵＥ１０５０と通信する例示のノードＢ１０１０のブロック図である。ここで、ノードＢ１０１０は、図３のノードＢ  ３０８であり、ＵＥ１０５０は、図３のＵＥ３１０でありうる。ダウンリンク通信において、ノードＢ  １０１０の送信プロセッサ１０２０は、データソース１０１２からデータ、および制御器／プロセッサから制御信号を受信しうる。送信プロセッサ１０２０は、基準信号（例えばパイロット信号）と同様にデータおよび制御信号のための様々な信号処理機能を提供する。例えば、送信プロセッサ１０２０は、誤り検出のための巡回冗長検査（ＣＲＣ）コードと、順方向誤り訂正を容易にするためにコード化しインターリーブすることと、様々なスキーム（例えば、２相位相変調（ＢＰＳＫ）、４相位相変調（ＱＰＳＫ）、Ｍ相位相変調（Ｍ−ＰＳＫ）、Ｍ値直交振幅変調（Ｍ−ＱＡＭ）など）に基づいて信号コンスタレーションにマップすることと、直交変数拡散ファクタ（ＯＶＳＦ）で拡散することと、直列シンボルを生成するために多重化しスクランブルすることとを提供しうる。チャネルプロセッサ１０４４からのチャネル推定値は、送信プロセッサのためのコーディング、変調、拡散、スクランブリングスキームを決定するために、制御器／プロセッサ１０４０によって使用されうる。これらのチャネル推定値は、ＵＥ１０５０によって送信された基準信号、または、ＣＱＩのような、ＵＥ１０５０からのフィードバックから導出されうる。送信プロセッサ１０２０によって生成されたシンボルは、フレーム構造を生成するために送信フレームプロセッサ１０３０に提供される。送信フレームプロセッサ１０３０は、直列フレームをもたらす、制御器／プロセッサ１０４０からの情報でシンボルを多重化することによってフレーム構造を生成する。その後、フレームは、送信機１０３２に提供される。送信機１０３２は、アンテナ１０３４を通じてワイヤレス媒体にわたるダウンリンク送信のためのキャリアの上のフレームを増幅し、フィルタに掛け、変調することを含む様々な信号調整機能を提供する。アンテナ１０３４は、例えば、ビームステアリング双方向適応アンテナアレイ、または他の同様のビーム技術を含む、１つまたは複数のアンテナを含みうる。
【００７１】
図４において説明されるようなノードＢ  ４４４の様々なセクタ送信アンテナ４１８、４２０および４２２に関して説明されるように、本開示に従ういくつかの例示において、ノードＢ  １０１０の一部のうちのいくらかは、ノードＢで複数のセクタを実装するために複製されうる。例えば、２つのセクタを提供するノードＢ  １０１０は、２つの送信機１０３２、２つの受信機１０３５、および／または２アンテナ１０３４を含みうる。ノードＢ  １０１０の他の部分は、さらに複製される、あるいは、他の例示において、説明されるプロセッサおよび他のブロックは、デュアル送信機１０３０、受信機１０３５、および／またはアンテナ１０３４をサポートするように構成されうる。
【００７２】
ＵＥ１０５０で、受信機１０５４は、アンテナ１０５２を通じてダウンリンク送信を受信し、キャリア上の変調された情報を復元するために送信を処理する。受信機１０５４によって復元された情報は、受信フレームプロセッサ１０６０に提供される。受信フレームプロセッサ１０６０は、各フレームを解析し、チャネルプロセッサ１０９４にフレームからの情報を提供し、受信プロセッサ１０７０にデータ、制御、基準信号を提供する。その後、受信プロセッサ１０７０は、ノードＢ  １０１０の送信プロセッサ１０２０によって実行された処理の逆の処理を実行する。より具体的には、受信プロセッサ１０７０は、シンボルをデスクランブルし、逆拡散し、その後、変調スキームに基づいてノードＢ  １０１０によって送信された最も可能性の高い信号コンスタレーションポイントを決定する。これらのソフト決定は、チャネルプロセッサ１０９４によって計算されたチャネル推定値に基づきうる。その後、ソフト決定は、データ、制御および基準信号を復元するために復号され、デインターリブされる。その後、ＣＲＣコードは、フレームが上手く復号されたかどうか決定するためにチェックされる。その後、上手く復号されたフレームによって搬送されたデータは、データシンク１０７２に提供されることになる。データシンク１０７２は、ＵＥ１０５０で動作しているアプリケーションまたは様々なユーザインターフェース（例えば、ディスプレイ）を表わす。上手く復号されたフレームによって搬送された制御信号は、制御器／プロセッサ１０９０に提供されることになる。フレームが受信機プロセッサ１０７０によって上手く復号されない場合、制御器／プロセッサ１０９０は、これらのフレームのための再送信要求をサポートするために、肯定応答（ＡＣＫ）および／または否定応答（ＮＡＣＫ）プロトコルを使用する。
【００７３】
アップリンクにおいて、データソース１０７８からのデータおよび制御器／プロセッサ１０９０からの制御信号は、送信プロセッサ１０８０に提供される。データソース１０７８は、ＵＥ１０５０および様々なユーザインターフェース（例えばキーボード）で動作するアプリケーションを表しうる。ノードＢ  １０１０によるダウンリンク送信に関連して説明された機能性は、類似するので、送信プロセッサ１０８０は、ＣＲＣコード、ＦＥＣを容易にするコーディングおよびインターリーブすることと、信号コンスタレーションにマップすることと、ＯＣＳＦで拡散することと、直列シンボルを生成するためにスクランブルすることとを含む様々な信号処理機能を提供する。ノードＢ  １０１０によって送信された基準信号あるいはノードＢによって送信されたミッドアンブルに含まれるフィードバックからチャネルプロセッサ１０９４によって導出された、チャネル推定値は、適切にコーディング、変調、拡散および／またはスクランブリングスキームを選択するために使用されうる。送信プロセッサ１０８０によって生成されたシンボルは、フレーム構造を生成するために送信フレームプロセッサ１０８２に提供されことになる送信フレームプロセッサ１０８２は、直列フレームをもたらす、制御器／プロセッサ１０９０からの情報でシンボルを多重化することによってこのフレーム構造を生成する。その後、フレームは、送信機１０５６に提供される。送信機１０５６は、アンテナ１０５２を通じてワイヤレス媒体を通じてアップリンク送信のためのキャリア上のフレームを増幅し、フィルタに掛け、変調することを含む様々な信号調整機能を提供する。
【００７４】
アップリンク送信は、ＵＥ１０５０で受信機機能に関連して説明された方法に類似する方法でノードＢ  １０１０で処理される。受信機１０３５は、アンテナ１０３４を通じてアップリンク送信を受信し、キャリア上に変調された情報を復元するために送信を処理する。受信機１０３５によって復元された情報は、各フレームを解析する、受信フレームプロセッサ１０３６に提供され、フレームからチャネルプロセッサ１０４４に情報を提供し、受信機プロセッサ１０３８にデータ、制御および基準信号を提供する。受信プロセッサ１０３８は、ＵＥ１０５０の送信プロセッサ１０８０によって実行される処理と反対の処理を実行する。その後、上手く復号されたフレームによって搬送されたデータおよび制御信号は、データシンク１０３９および制御器／プロセッサにそれぞれ提供されうる。フレームのうちのいくつかが受信プロセッサによって上手く復号できなかった場合、制御器／プロセッサ１０４０は、さらにそれらのフレームのための再送信要求をサポートするための肯定応答（ＡＣＫ）および／または否定応答（ＮＡＣＫ）プロトコルを使用しうる。
【００７５】
制御器／プロセッサ１０４０および１０９０は、それぞれノードＢ  １０１０およびＵＥ１０５０で動作を指示するために使用されうる。例えば、制御器／プロセッサ１０４０および１０９０は、タイミング、周辺インターフェース、電圧調整、電力管理、および他の制御機能を含む様々な機能を提供しうる。メモリ１０４２および１０９２のコンピュータ可読媒体は、ノードＢ  １０１０およびＵＥ  １０５０のためのデータおよびソフトウェアをそれぞれ記憶しうる。ノードＢ  １０１０のスケジューラ／プロセッサ１０４６は、ＵＥにリソースを割り当て、ＵＥのためのダウンリンクおよび／またはアップリンク送信をスケジュールするために使用されうる。
【００７６】
本開示の態様は、単一のベースバンド受信チェーンを所有するが、両方のセル上のＨＳ−ＳＣＣＨをモニタすることができる受信機１０５４を有するＵＥ１０５０によって実施されうる。図１１および１２は、上記のＵＥ１０５０のＲＦ／フロントエンドおよびベースバンド処理部分の１つの例示を説明するブロック図である。当然、任意の適切なＲＦ／フロントエンドおよびベースバンドプロセッサが本開示のさまざまな態様に従ってＵＥ１０５０において利用されうる。
【００７７】
図１１は、本開示のいくつかの態様に従うマルチポイントＨＳＤＰＡを実施するための単一の受信チェーンを含むＵＥのためのＲＦフロントエンドを説明する簡略ブロック図である。本開示のいくつかの態様において、図１１で説明されたＲＦフロントエンドは、図１０で説明されたＵＥ１０５０の受信機１０５４に対応しうる。当業者は、説明されるＲＦフロントエンドが従来のＨＳＤＰＡを可能にするＵＥのためのＲＦフロントエンドと実質的に同じであることを認識するだろう。当業者は、図１１で説明されるＲＦフロントエンドの少なくとも一部が、さらに以下で詳細に説明されるような、例えばＤＦ−４Ｃシステムにおける、デュアルキャリアネットワークのスイッチングベースのアグリゲーションを実施するためのデュアル受信機チェーンを含む特定のＵＥで複製されうることをさらに認識するだろう。説明される例示において、受信アンテナ１１０２は、適切なキャリア周波数で動作する発振器１１０６に従ってベースバンドに受信信号をダウンコンバートするためのＲＦダウンコンバージョンブロック１１０４に受信信号を提供する。その後、ベースバンド信号は、高周波コンポーネントを取り除くためのローパスフィルタ１１０８に提供され、その後デジタル信号を生成するためのアナログ−デジタル変換器（ＡＤＣ）１１１０に提供される。
【００７８】
図１２は、本開示のいくつかの態様に従ってマルチポイントＨＳＤＰＡを実施するための単一の受信アンテナを含むＵＥのためのベースバンドプロセッサのいくつかの態様を説明する簡略ブロック図である。説明される例示において、入力信号は、図１１で説明されたＲＦフロントエンドのような、ＲＦフロントエンドによって提供される。ベースバンドプロセッサは、チャネルプロセッサ１１１１を含みうる。開示のいくつかの態様において、チャネルプロセッサ１１１１は、図１０で説明されたＵＥ１０５０のチャネルプロセッサ１０９４に対応しうる。開示のいくつかの態様において、チャネルプロセッサ１１１１は、ＣＰＩＣＨ処理ブロック１１１２、第１の線形最小平均二乗誤差（ＬＭＭＳＥ：linear minimum mean square error）タイプ２受信機、第２のＬＭＭＳＥタイプ２受信機、およびＣＱＩ推定ブロック１１１８を含みうる。ここで、ＣＱＩ推定ブロック１１１８は、各セルに対するＣＰＩＣＨ処理ブロック１１１２およびＬＭＭＳＥ受信機１１１４と１１１６からの情報に従ってチャネル推定を実行し、それに応じて各セルのためのＣＱＩ出力を生成しうる。チャネル推定およびＣＱＩの生成のための処理は、当業者に対して既知であり、そのため、本開示に詳細に説明されていない。
【００７９】
ベースバンドプロセッサは、第１のＨＳ−ＳＣＣＨ検出器１１２０および第２のＨＳ−ＳＣＣＨ検出器１１２２をさらに含みうる。ここで、ＨＳ−ＤＳＣＨのようなセル１（Ｃ１）からの情報は、第１のセルからデータチャネル（例えばＨＳ−ＰＤＳＣＨ）を復号するために、ＨＳ−ＳＣＣＨをモニタし、ベースバンドプロセッサに準備させるための、第１のＨＳ−ＳＣＣＨ検出器に提供されうる。同様に、そのＨＳ−ＤＳＣＨのようなセル２（Ｃ２）からの情報は、第２のセルからのデータチャネル（例えばＨＳ−ＰＤＳＣＨ）を復号するために、ＨＳ−ＳＣＣＨをモニタし、ベースバンドプロセッサに準備させるための、第２のＨＳ−ＳＣＣＨ検出器に提供されうる。対応するＨＳ−ＤＳＣＨは、どのセルが特定の間隔でＵＥのためにデータをスケジュールしたかを決定し、ＨＳ−ＰＤＳＣＨ上で搬送される対応するデータを転送し、対応するＨＳ−ＳＣＣＨから第１のインクリメンタルリダンダンシ（ＩＲ）バッファ１１２６または第２のＩＲバッファ１１２８のうちの対応する１つに情報を復号するための、ストリーム選択ブロック１１２４にさらに提供される。ここで、ＩＲバッファは、対応するストリームのためのＨＡＲＱ再送信を生成するために利用されるＨＡＲＱ情報をバッファするように構成される。その後、情報は、対応するストリームを復号するためのターボ復号器１１３０に提供され、特定の実施の詳細に従って他の処理ブロック上へ転送されうる。いくつかの例示において、図１０で説明されるように、ターボ復号器１１３０の出力は、任意の適切なアプリケーションによって利用するためにデータシンク１０３９に提供されうる。
【００８０】
図１３は、本開示のいくつかの態様に従ってワイヤレス通信のための例示的な処理の２つの部分を説明するフローチャートである。いくつかの例示において、２つの説明される部分は、同時に実行される、独立処理でありうる。いくつかの例示において、２つの説明される部分は、組み合わせた処理の一部としてシーケンシャルに実行されうる。ここで、図１３で説明される処理は、例えば、図３で説明されたＵＥ３１０のような、ＵＥで実行されうる。
【００８１】
フローチャート１３０２において、ブロック１３０４で、処理は、第１のセルからの第１の制御チャネル（例えばＨＳ−ＳＣＣＨ）および第２のセルからの第２の制御チャネル（例えば、第２のＨＳ−ＳＣＣＨ）をモニタしうる。本開示のいくつかの態様において、受信機１０５４（図１０を参照）は、制御チャネルをモニタするために利用され、さらに本開示のいくつかの対応において、ＨＳ−ＳＣＣＨ検出器１１２０および１１２２（図１２を参照）は、それぞれの制御チャネルをモニタするために利用されうる。ここで、第１および第２の制御チャネルは、連続的にモニタされる、あるいは適切な間隔でモニタされ、第１および第２の制御チャネルは、同じまたは異なる時刻にモニタされうる。さらに、本開示のさまざまな態様に従って利用されるマルチポイントＨＳＤＰＡシステムの性質により、第１および第２の制御チャネルは、同じキャリア周波数上にあり、さらに、適切なスクランブリングコードの利用に従って分離されうる。
【００８２】
ブロック１３０６において、処理は、ＵＥのために向けられたダウンリンクデータが第１または第２のセルに対応するＨＳ−ＤＳＣＨのうちの１つで提供されるかどうか決定しうる。ここで、決定は、対応するＨＳ−ＰＤＳＣＨ上のＵＥに向けられたデータを見出すために、対応するセルからのＨＳ−ＤＳＣＨをモニタすることと、対応するＨＳ−ＳＣＣＨから情報を利用することとによって選択ブロック１１２４（図１２を参照）によって行われうる。どちらのＨＳ−ＤＳＣＨ上にもＵＥのためのデータがない場合、処理は、ＨＳ−ＳＣＣＨをモニタするためにブロック１３０４に戻りうる。しかしながら、ＨＳ−ＤＳＣＨのうちの１つにＵＥのためのデータがある場合、処理は、ブロック１３０６に進みうる。
【００８３】
ブロック１３０６において、処理は、第１または第２のダウンリンクデータチャネル（例えば、ＨＳ−ＰＤＳＣＨ）のうちの対応する１つでダウンリンクデータを復号しうる。ここで、ダウンリンクデータの復号は、第１のまたは第２の制御チャネルのうちの対応する１つから取得された制御情報を利用することを含みうる。本開示のいくつかの態様において、ダウンリンクデータを復号することは、インクリメンタルリダンダンシーバッファ１１２６およびターボ符号器１１３０（図１２を参照）に従って遂行されうる。開示のいくつかの態様において、ダウンリンクデータを復号することは、以上で説明されるように受信フレームプロセッサ１０６０および受信プロセッサ１０７０（図１０を参照）に従って遂行されうる。
【００８４】
本開示のいくつかの態様において、フローチャート１３０２で説明された処理は、周期的または断続的な間隔で実施されうる。いくつかの例示において、処理が繰り返す間の間隔は、１つのＴＴＩでありうる。特に、各ＴＴＩの処理１３０２の反復は、第１および第２セルが同じノードによって提供されるセクタである場合に利用されうる。その場合に、ＵＥのためのデータのスケジューリングは、セルが異なるノードＢによって提供される場合のケースより短時間（例えば各ＴＴＩ）でありうる。しかしながら、セルが同じノードＢによって提供されるセクタである例示と、セルが異なるノードＢによって提供される例示とにおいて、処理１３０２が繰り返される間の間隔は、１つのＴＴＩからの任意の適切な時間間隔であるまたはそれより長く、特定のシステムにおける特定の設計選択に従って周期的あるいは非周期的でありうる。
【００８５】
フローチャート１３１０において、ブロック１３１２で、処理は、第１および第２のセルから第１および第２の基準信号（例えば共通パイロットチャネルＣＰＩＣＨ）をモニタし、ブロック１３１４で、処理は、ＣＰＩＣＨを測定し、第１および第２のセルの特徴（例えばチャネル品質）を決定し、第１および第２のセルのために対応するチャネル品質インジケータ（ＣＱＩ）を生成しうる。本開示のいくつかの態様において、基準信号のモニタリングおよびセルの特徴の決定は、以上で説明されるようなＣＱＩ推定ブロック１１１８と組み合わせてＣＰＩＣＨ処理ブロック１１１２（図１２を参照）によって遂行されうる。本開示のいくつかの態様において、基準信号のモニタリング、およびセルの特徴の決定は、以上で説明されるようなチャネルプロセッサ１０９４と組み合わせて受信機１０５４（図１０を参照）によって遂行されうる。
【００８６】
フローチャート１３１０において説明されたＣＱＩレポートの周期性は、一般にＵＴＲＡＮによって設定可能であり、本開示の態様がＣＱＩレポートのための任意の適切な間隔で実施されるが、２ミリ秒（つまり、ＴＴＩ毎に１つのＣＱＩレポート）から１６０ミリ秒までのいかなる範囲でもありうる。
【００８７】
本開示のいくつかの態様において、ＵＥによってモニタされる複数のセルのためのＨＳ−ＤＰＣＣＨ上でレポートするＣＱＩは、ＨＡＲＱ  ＡＣＫ／ＮＡＣＫおよびＣＱＩ情報を含む従来のＲｅｌ−８  ＨＳ−ＤＰＣＣＨ構造を利用してレポートされうる。すなわち、ＤＣ−ＨＳＤＰＡのための３ＧＰＰ標準のＲｅｌ−８は、ＨＳ−ＤＰＣＣＨの定義に含まれうる。ここで、ＵＥは、２つのダウンリンクキャリアのうちの各々のためのＨＡＲＱ  ＡＣＫ／ＮＡＣＫおよびＣＱＩをレポートする。本開示のいくつかの態様において、同じＨＳ−ＤＰＣＣＨ構造は、第１のセルおよび第２のセルのうちの各々のためのＣＱＩをレポートするために利用することができる。
【００８８】
しかしながら、スイッチングベースのマルチポイントＨＳＤＰＡを利用する本開示のいくつかの態様において、単一のセルのみからのＨＳ−ＤＳＣＨは、ＤＣ−ＨＳＤＰＡシステムと異なり、所与の間隔で（例えばＴＴＩで）受信される。ここで、デュアルＨＳ−ＤＳＣＨは、同時に受信される、したがって、本開示のいくつかの態様において、単一のＨＡＲＱ  ＡＣＫ／ＮＡＣＫは、Ｒｅｌ−８  ＨＳ−ＦＰＣＣＨ構造を利用してレポートされる一方で、ＡＣＫ／ＮＡＣＫコードワードのうちの１つは、非受信セルのためにＤＴＸ（不連続の送信）にセットされうる。
【００８９】
本開示の別の態様で、少なくとも１つのＣＱＩが第１の特徴および第２の特徴に対応する場合、それは、単一のＣＱＩが両方のチャネルに対応するフィードバックを一緒に符号化するということでありうる。代わりに、第１のＣＱＩは、第１のチャネルに対応する一方、第２のＣＱＩは、第２のチャネルに対応しうる。
【００９０】
図１４は、本開示のいくつかの態様に従ってワイヤレス通信のための例示的な処理１４００を説明するフローチャートである。いくつかの態様において、処理は、デュアルセクタと同じ周波数チャネルを通じてデュアルセルを送信するノードＢによって実施されうる。いくつかの態様において、処理は、各々がそれぞれのセルを送信するデュアルノードＢによって一緒に実施されうる。ここでデュアルノードＢからの両方のセルは、同じ周波数チャネルを通じて送信されうる。いくつかの態様において、処理の一部は、ＲＮＣ３０６（図３を参照）のようなネットワークにおいて別のノードによって実施されうる。
【００９１】
例示的な処理１４００において、ブロック１４０４で、処理は、第１のセルのために第１のパイロット信号（例えば第１のＣＰＩＣＨ）を送信し、ブロック１４０６で、処理は、第２のセルのために第２のパイロット信号（例えば第２のＣＰＩＣＨ）を送信しうる。ここで、第１のパイロット信号および第２の信号は、同じキャリア周波数でありうる。ＨＳＤＰＡシステムにおいて、ＣＰＩＣＨは、一般に、あらかじめ定義されたビットシーケンスを搬送する固定速度のダウンリンク物理チャネルであり、そのセルのためのプライマリスクランブリングコードとさらに位相および電力推定値を決定し、チャネル品質推定値を生成するためにＵＥによって利用されることができる。本開示のいくつかの態様において、それぞれのパイロット信号の送信は、ノードＢ  １０１０の送信機１０３２（図１０を参照）によって実施されうる。セルが同じノードＢによって提供される異なるセクタである例示において、第１のパイロット信号の送信は、ノードＢ  １０１０の第１の送信機１０３２によって実施され、第２のパイロット信号の送信は、ノードＢ  １０１０の第２の送信機１０３２によって実施されうる。当然、例えば、送信機１０３２が第１のパイロット信号と第２のパイロット信号との両方を提供するような他の例示は、本開示の範囲内になることが可能である。
【００９２】
ブロック１４０８で、処理は、第１のパイロット信号の特徴（例えばチャネル品質）に対応する第１のＣＱＩを受信し、ブロック１４１０で、処理は、第２のパイロット信号の特徴（例えばチャネル品質）に対応する第２のＣＱＩを受信しうる。本開示のいくつかの態様において、それぞれのＣＱＩの受信は、ノードＢ  １０１０の受信機１０３５（図１０を参照）によって実施されうる。セルが同じノードＢによって提供される異なるセクタである例示において、第１のＣＱＩの受信は、ノードＢ  １０１０の第１の受信機１０３５によって実施され、第２のＣＱＩの受信は、ノードＢ  １０１０の第２の受信機１０３５によって実施されうる。当然、例えば、受信機１０３５が第１のＣＱＩと第２のＣＱＩとの両方で受信することができる場合のような、他の例示は、本開示の範囲内であることができる。さらに、本開示の別の態様において、説明されるような２つの別個ＣＱＩを受信するよりはむしろ、本開示の範囲内の処理は、ＵＥから第１および第２のセルの両方のそれぞれの特徴を符号化するように構成された組み合わされたＣＱＩを受信しうる。
【００９３】
ブロック１４１２において、処理は、第１のセルおよび第２のセルの間のより良いセルを決定しうる。ここで、より良いセルの決定は、第１のＣＱＩおよび第２のＣＱＩのうち少なくとも１つの少なくとも一部に基づきうる。開示のいくつかの態様において、より良いセルの決定は、それぞれのＣＰＩＣＨに対応する直前に受信したＣＱＩを利用する、または任意の数の以前に受信したＣＱＩを利用しうる。
【００９４】
開示のいくつかの態様において、両方のセルは、同じノードＢによって提供されるセクタでありうる。この例示において、ノードＢは、例えば、ノードＢが第１のセルと第２のセルとの間のより良いセルをすぐに決定しうるような、すぐに利用可能な両方のセルに対応するＣＱＩまたは他のフィードバック情報を有しうる。したがって、セル間の動的なスイッチングは、例えば、各ＴＴＩで比較的小さな遅延時間で行われうる。当然、ブロック１４１２でより良いセルの決定は、例えば、ＣＱＩまたは受信あるいは他のある間隔の周波数に従って、任意の適切な間隔で生じ、ＴＴＩ毎にまたはある他の間隔で生じうる。さらに、より良いセルの決定は、各セルでローディング状況または待ち行列の長さを含む、任意の適切なファクタまたはパラメータに基づきうる。すなわち、１つのセルを通じてＵＥにダウンリンクデータを送信する決定は、他のセルが比較的重くロードされているという一部の情報に基づきうる。開示のいくつかの態様において、より良いセルの決定は、ノードＢ  １０１０（図１０を参照）のチャネルプロセッサ１０４４によって実施されうる。開示のいくつかの態様において、より良いセルの決定は、制御器／プロセッサ１０４０により、場合によりチャネルプロセッサ１０４４とともに実施されうる。開示のいくつかの態様において、より良いセルの決定は、セルでローディング状況に関係するスケジューラ／プロセッサ１０４６からの情報を利用しうる。
【００９５】
本開示に従ういくつかの例示は、異なる基地局から複数のダウンリンクセルを提供しうる。この事例において、情報共有のある形式は、例えば、ＬＴＥネットワークにおける複数のｅＮｏｄｅＢ間のＸ１インターフェース、またはＲＮＣに別のノードＢを接続するＩｕｂインターフェースが、基地局の間で利用されうる。如何なる場合も、基地局またはＲＮＣのような別のネットワークノードの少なくとも１つは、ダウンリンクデータをスケジュールするために第１および第２のセルの間のより良いセルの決定を行うために利用されうる。したがって、本開示に従って、ブロック１４１２でより良いセルの決定は、ＲＮＣ３０６（図３を参照）のようなネットワークにおいて別のノードで行われうる。例えば、ノードＢは、例えば、受信されたＣＱＩ、待ち行列の長さ、または任意の適切な情報、に基づいてデータのためのＲＮＣにＩｕｂインターフェースを通じて要求を送るため、ＲＮＣ３０６は、この情報と同様に別のノードＢからの情報に従ってより良いセルの決定を行いうる。
【００９６】
ブロック１４１４において、処理は、ブロック１４１２で決定されたより良いセル上のＵＥのためにデータのパケットをスケジュールしうる。開示のいくつかの態様において、パケットのスケジューリングは、以上で説明されるように、ノードＢ  １０１０（図１０を参照）のスケジューラ／プロセッサ１０４６によって実施されうる。ブロック１４１６で、ブロック１４１２で決定され、ブロック１４１４でスケジュールされたように、処理は、より良いセルを通じてＵＥにスケジュールされたパケットを送信しうる。開示のいくつかの態様において、パケットの送信は、ノードＢ  １０１０の送信機１０３２によって実施されうる。セルが同じノードＢによって提供される異なるセクタである例示において、スケジュールされたパケットの送信は、ノードＢの第１の送信機１０３２または第２の送信機１０３２のうちの対応する１つによって実施されうる。当然、例えば、送信機１０３２が第１のセルまたは第２のセルの何れか一方を通じてスケジュールされたパケットを送信することができるような、他の例示は、本開示の範囲内であることができる。
【００９７】
電気通信システムのいくつかの態様は、Ｗ−ＣＤＭＡシステムに関して述べられた。当業者が容易に認識するように、本開示を通じて説明されたさまざまな態様は、他の通信システム、ネットワークアーキテクチャ、および通信標準に拡張されうる。
【００９８】
例示として、さまざまな態様は、ＴＤ−ＳＣＤＭＡおよびＴＤ−ＣＤＭＡのような他のＵＭＴＳシステムに拡張されうる。さまざまな態様は、さらに、（ＦＤＤ、ＴＤＤ、または両方のモードの）ロングタームエボリューション（ＬＴＥ）、（ＦＤＤ、ＴＤＤ、または両方のモードの）ＬＴＥ−アドバンスド（ＬＴＥ−Ａ）、ＣＤＭＡ２０００、エボリューション−データオプティマイズド（ＥＶ−ＤＯ）ウルトラモバイルブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ウルトラ−ワイドバンド（ＵＷＢ）、ブルートゥース、および／または他の適切なシステムを採用するシステムに拡張されうる。実際の電気通信標準、ネットワークアーキテクチャ、および／または採用された通信標準は、特定のアプリケーションおよびシステム上で課される全体的な設計制約に依存することになる。
【００９９】
上記の説明は、いずれの当業者がここにおいて説明される様々な態様を実行することを可能にするように提供されている。これらの態様に対する様々な修正は、当業者にとっては容易に明らかであろう、そして、ここにおいて定義された包括的な原理は、本開示の精神あるいは範囲から逸脱することなく、他の態様に適用されることができる。従って、特許請求の範囲は、本明細書に示された態様に限定されず、請求項の文言と一貫したすべての範囲が与えられることが意図されており、ここで、単数形による要素への参照は、もしも明確に述べられていないのであれば、「１つおよび１つのみ」を意味するのではなく、「１つまたは複数」を意味することが意図されている。特に明記されていない限り、用語「いくつか」は、１つまたは複数を称する。アイテムのリストのうちの「少なくとも１つ」を称する句は、単数を含むこれらアイテムのうちの任意の組み合わせを称する。例示として、「ａ、ｂ、またはｃ：のうちの少なくとも１つ」は、ａ；ｂ；ｃ；ａとｂ；ａとｃ；ｂとｃ；とａ、ｂおよびｃをカバーするように意図される。当業者に既知のまたは後に知られる、本開示を通じて説明される様々な態様の構成要素に対するすべての構造的及び機能的な均等物は、参照によりここにおいて明示的に組み込まれており、そして、本願請求項によって包含されるように意図される。さらに、ここにおいて開示されているものは、そのような開示が本願請求項で明示的に記載されているかどうかに関らず、公的に使用されることが意図されている。構成要素が明示的にフレーズ「するための手段（ｍｅａｎｓ  ｆｏｒ）」を使用して記載されていないかぎり、または、方法の請求項の場合にはフレーズ「するためのステップ（ｓｔｅｐ  ｆｏｒ）」を使用して記載されていないかぎり、米国特許法第１１２条第６項の規定の下で請求項の構成要素は解釈されるべきではない。
【図１】
2013539630.tif 000003
【図２】
2013539630.tif 000004
【図３】
2013539630.tif 000005
【図４】
2013539630.tif 000006
【図５】
2013539630.tif 000007
【図６】
2013539630.tif 000008
【図７】
2013539630.tif 000009
【図８】
2013539630.tif 000010
【図９】
2013539630.tif 000011
【図１０】
2013539630.tif 000012
【図１１】
2013539630.tif 000013
【図１２】
2013539630.tif 000014
【図１３】
2013539630.tif 000015
【図１４】
2013539630.tif 000016
【国際調査報告】
2013539630.tif 000017
2013539630.tif 000018
2013539630.tif 000019
2013539630.tif 000020